(57)【要約】【課題】簡単な操作で使用者自身が転写物の交換を行うことができるようにした転写具を提供する。【解決手段】転写対象物に転写される転写物Ｔとそれを転写対象物に接触させる転写ヘッドＫとを保持し得るホルダＨを具備する転写具Ａにおいて、ホルダＨを、相互に着脱可能な第１ホルダ要素１及び第２ホルダ要素２と、第２ホルダ要素２に取り付けた操作部材３とから構成し、操作部材３への操作に対応して、操作部材３と第１ホルダ要素１とを干渉させて第１ホルダ要素１と第２ホルダ要素２とを分離させる分離機構Ｘを設けた。【選択図】図７
2005034994.tif 000002
【特許請求の範囲】
【請求項１】
転写対象物に転写される転写物とこの転写物を転写対象物に接触させる転写ヘッドとを保持し得るホルダを具備してなり、該ホルダを、相互に着脱可能な第１ホルダ要素及び第２ホルダ要素と、この第２ホルダ要素に取り付けた操作部材とから構成し、操作部材への操作に対応して該操作部材と前記第１ホルダ要素とを干渉させて第１ホルダ要素と第２ホルダ要素とを分離させる分離機構を設けていることを特徴とする転写具。
【請求項２】
前記操作部材を第２ホルダ要素に対してスライド移動可能に取り付け、前記分離機構を、操作部材の一部に形成した突部と、第１ホルダ要素において前記突部のスライド移動線上に形成した分離ガイド部とを具備するものとしている請求項１記載の転写具。
【請求項３】
前記突部及び前記分離ガイド部に、操作部材のスライド移動過程で当接し合うテーパ面をそれぞれ形成している請求項２記載の転写具。
【請求項４】
前記操作部材の分離操作方向を第１ホルダ要素に支持される転写ヘッドとは反対方向に設定している請求項２又は３記載の転写具。
【請求項５】
前記第２ホルダ要素を第１ホルダ要素に対して回転動作可能に取り付ける回転取付部を形成し、前記操作部材に対する操作によって第２ホルダ要素を、回転取付部を支点とした回転動作を伴って第１ホルダ要素から分離し得るように構成している請求項２、３又は４記載の転写具。
【請求項６】
前記操作部材をスライド始端位置において第１ホルダ要素と係り合わせる第１ストッパ部を形成し、操作部材のスライド移動の開始に伴って前記第１ストッパ部における係り合いが解除されるように構成している請求項２、３、４又は５記載の転写具。
【請求項７】
前記操作部材に、操作位置となる一対の操作部を形成している請求項２、３、４、５又は６記載の転写具。
【請求項８】
前記操作部に対応して前記操作部材をスライド始端位置において第２ホルダ要素と係り合わせ一対の係止部を形成し、操作部への操作に応じて前記係止部における係り合い状態が解除されるように構成している請求項７記載の転写具。
【請求項９】
前記操作部材をスライド終端位置において第２ホルダ要素から脱落不能に停止させる第２ストッパ部を形成している請求項２、３、４、５、６、７又は８記載の転写具。
【請求項１０】
前記第１ホルダ要素が、転写物及び転写ヘッドを保持するものであり、これら第１ホルダ要素、転写物及び転写ヘッドによって交換可能な交換カートリッジを構成している請求項１、２、３、４、５、６、７、８又は９記載の転写具。
【発明の詳細な説明】
【０００１】
【発明の属する技術分野】
本発明は、転写物を転写対象面に転写する際に用いる転写具に関するものである。
【０００２】
【従来の技術】
粘着テープや粘着性を有しないテープ等のテープ類、固体又は液体のり、接着剤等の転写物を転写対象面に転写する際に用いる転写具が従来から各種考えられている。このような転写具には、転写物を内部に保持するホルダを二分割可能な構造としておき、転写物を全て使用してしまった後には、ホルダを分割して新たな転写物と交換するように構成したものがある（例えば、特許文献１参照）。
【０００３】
【特許文献１】
特開２００２−１７８６９４公報（図２等）
【０００４】
【発明が解決しようとする課題】
ところが、このような構成の転写具においては、使用時にホルダが分解してしまう虞をなくすために、ホルダを構成する２つのパーツ同士を比較的しっかりと係り合わせる構造が採用されている。そうすると、使用者が転写物を交換するときには、両手を使い力を込めてこれらパーツ同士を分離させる必要があるので、その手間が大変不便なものとなっている。また、できるだけ違和感のない使用状態を得るために２つのパーツ同士の境界に凹凸を作らないようにするという設計上の要請から、使用者にとってはその境界が認識しづらくなり、結果的に転写物の交換時にどの部位をどのように操作すればホルダの分解が可能なのかわかりにくく、その手間がより一層煩雑となっている。このような不具合は、例えばホルダを構成する一方のパーツにのみ転写物を保持させておき、そのパーツ自体を転写物ごと交換することができるような交換カートリッジとしている場合も同様である。
【０００５】
そこで本発明は、以上のような問題に鑑みて、簡単な操作で使用者自身が転写物の交換を行うことができるようにした転写具を提供しようとするものである。
【０００６】
【課題を解決するための手段】
すなわち、本発明の転写具は、転写対象物に転写される転写物とこの転写物を転写対象物に接触させる転写ヘッドとを保持し得るホルダを具備してなり、該ホルダを、相互に着脱可能な第１ホルダ要素及び第２ホルダ要素と、この第２ホルダ要素に取り付けた操作部材とから構成したものであり、操作部材への操作に対応して、操作部材と第１ホルダ要素とを干渉させて第１ホルダ要素と第２ホルダ要素とを分離させる分離機構を設けていることを特徴としている。
【０００７】
このような構成の転写具であれば、操作部材を操作するだけでホルダが第１ホルダ要素と第２ホルダ要素との２パーツに自動的に分解されるので、使用済の転写物と新品の転写物との交換を容易に行うことができる。したがって、従来品のようにホルダを両手で持ち且つ相応の力を加えなければ分解して転写物の交換ができなかったという不具合を解消することができる。しかも、使用者にとっては、たとえ第１ホルダ要素と第２ホルダ要素との境界部分が分かりにくいものであってもそれとは関係なくホルダを分解して転写物の交換をすることができる。また、操作部材を第２ホルダ要素とは別体とすることで、操作部材の存在を明確化することができることとなり、例えば操作部材の色を第１ホルダ要素や第２ホルダ要素の色とは異ならせることで、操作部材の存在をより一層明確なものとするとともに、商品としての転写具のカラーバリエーションを豊富なものとすることも容易となる。
【０００８】
このような転写具において、操作部材に対する操作方法を簡便なものとするとともに、その簡単な操作を通じてホルダが簡単に分解するように構成するには、操作部材を第２ホルダ要素に対してスライド移動可能に取り付けて、分離機構が、操作部材の一部に形成した突部と、第１ホルダ要素において前記突部のスライド移動線上に形成した分離ガイド部とを有するものとすることが好ましい。
【０００９】
この場合、突部及び分離ガイド部に、操作部材のスライド移動過程で当接し合うテーパ面をそれぞれ形成すれば、操作部材のスライド移動に伴って突部側のテーパ面が分離ガイド部側のテーパ面に乗り上げることになり、それに伴い第２ホルダ要素と第１ホルダ要素とを容易に分離することができるようになる。
【００１０】
また、操作部材の存在が転写具の通常の使用時の邪魔にならないようにするためには、操作部材の分離操作方向を第１ホルダ要素に支持される転写ヘッドとは反対方向に設定することが望ましい。
【００１１】
さらに、第２ホルダ要素を第１ホルダ要素に対して回転動作可能に取り付ける回転取付部を形成し、前記操作部材に対する操作によって第２ホルダ要素を、回転取付部を支点とした回転動作を伴って第１ホルダ要素から分離し得るように構成した場合には、反回転取付部側では第１ホルダ要素と第２ホルダ要素との分離距離を大きなものとすることができるので、使用者によるホルダの分解作業をより一層簡単なものとすることができる。
【００１２】
また、ホルダの分解作業の容易性を損なわずに、転写具の使用時に操作部材が不意に動作することを防止するには、操作部材をスライド始端位置において第１ホルダ要素と係り合わせる第１ストッパ部を形成し、操作部材のスライド移動の開始に伴って第１ストッパ部における係り合いが解除されるように構成することが好ましい。この場合には、ワンアクションで第１ストッパ部の係合解除とホルダの分解が可能となる。
【００１３】
さらに、使用者による操作部材の操作時において、当該操作部材の扱いやすさを向上するには、操作部材に、操作位置となる一対の操作部を形成するとよい。このようにすることで、使用者は一対の操作部に２本の指を掛けて容易に操作を行うことができる。
【００１４】
この場合、操作部材の安定性を向上するためには、操作部に対応して操作部材をスライド始端位置において第２ホルダ要素と係り合わせ一対の係止部を形成し、操作部への操作に応じて係止部における係り合い状態が解除されるように構成することが望ましい。
【００１５】
一方、操作部材をスライド終端位置において第２ホルダ要素から脱落不能に停止させる第２ストッパ部を形成しておくと、転写物の交換作業中に操作部材が第２ホルダ要素から分離してそれを紛失するというようなことがなく、またその後のホルダの組立作業も簡単に行うことができる。
【００１６】
なお、以上のような転写具においては、第１ホルダ要素に、転写物及び転写ヘッドを保持させて、これら第１ホルダ要素、転写物及び転写ヘッドによって交換可能な交換カートリッジを構成することで、より簡単に転写物の交換を行うことが可能である。
【００１７】
【発明の実施の形態】
以下、本発明の一実施形態を、図面を参照して説明する。
【００１８】
図１、図２及び図３に示すこの実施形態は、転写物たる修正テープＴを内部に収容しそれを使用するための転写具Ａである。なお、修正テープＴは、テープ本体Ｔａと剥離テープＴｂとの２枚貼り合わせ構造を有しており、剥離テープＴｂを転写具Ａ内に残してテープ本体Ｔａのみが同じく転写具Ａに保持された転写ヘッドＫを通じて転写対象物たる紙面（図示省略）等に貼付される通常のものである。
【００１９】
転写具Ａは、修正テープＴを内部に収容し得るホルダＨを主体とするものである。更にホルダＨは、第１ホルダ要素１及び第２ホルダ要素２の２部材からなる略半割構造を有している。そして、第１ホルダ要素１と第２ホルダ要素２とを組み立て又は分解することで、使用済の修正テープＴを新品の修正テープＴと交換することができるようにしており、そのための構成としてこの転写具Ａは、第１ホルダ要素１と第２ホルダ要素２とを相互に分離させる分離機構Ｘと、その際の操作を行うための操作部材３とを備えている。
【００２０】
まず、本実施形態において第１ホルダ要素１は、図１〜図４及び図６に示すように、修正テープＴと転写ヘッドＫとを保持するものであり、これら第１ホルダ要素１、修正テープＴ及び転写ヘッドＫが一体で交換可能な交換カートリッジとして機能する。具体的に第１ホルダ要素１は主として、転写具Ａ全体の一方の外側壁となる第１外側板１１と、この外側板１１に対向配置される内側板１２とから構成され、これら第１外側板１１と内側板１２との間に挟み込んで、巻出用スプールＳＰ１及び巻取用スプールＳＰ２に取り付けられた修正テープＴと、転写ヘッドＫとを保持するように構成してある。
【００２１】
第１外側板１１は、例えば合成樹脂製の薄板状をなすものであり、本実施形態では側面視概略卵形をなすものとしている。第１外側板１１の内側面における前端部には、転写ヘッドＫを支持するために内側板１２に形成される支持軸１２１の先端部を受け入れる受孔１１１を形成している。さらにこの内側面には、主として内側板１２に支持される巻出用スプールＳＰ１及び巻取用スプールＳＰ２をそれぞれ回転可能に支持する支持凹部１１２、１１３を形成している。また、第１外側板１１の後端部には、操作部材３を転写具Ａの使用状態における所定位置で係り合わせる第１ストッパ部ＳＴ１の一方の要素となる係合爪１１４を形成している。この係合爪１１４の先端部は、第１外側板１１の外側面よりも外方へ突出させている。また、第１外側板１１の前端部における外側面には、転写具Ａの使用時において使用者の指との間の摩擦抵抗を高める滑り止め用突起１１５を複数形成している。本実施形態ではこの滑り止め用突起１１５を、例えば部分球形状としている。
【００２２】
一方、内側板１２も、例えば合成樹脂製の薄板状をなすものであり、本実施形態では外側板１１に略対応する側面視概略卵形をなすものとしている。この内側板１２の内側面における前端部には、上述したように転写ヘッドＫを揺動可能に支持し得る支持軸１２１を第１外側板１１側に向けて突出するように形成している。これに対して転写ヘッドＫには、前記支持軸１２１を挿入させる孔部Ｋｂが形成してある。なお、この転写ヘッドＫは、不使用時にその先端部Ｋａを覆い隠すカバーＫｃを回転可能に有するものである。また、内側板１２の後端部側及び中央部には、巻出用スプールＳＰ１及び巻取用スプールＳＰ２をそれぞれ回転可能に支持し得る支持孔１２２、１２３を開口させている。なお、巻出用スプールＳＰ１用の支持孔１２２の直径は、巻取用スプールＳＰ２用の支持孔１２３の直径よりも大きくしてあるが、これは、巻出用スプールＳＰ１及び巻取用スプールＳＰ２の各径の大きさに対応させたためである。ここで、後端部側に配置される巻出用スプールＳＰ１及び巻取用スプールＳＰ２は、いずれも円筒状をなしており、一側端部を前記支持孔１２２、１２３に挿入し且つ他端部を前記第１外側板１１の支持凹部１１２、１１３に挿入した状態で、内側板１２と第１外側板１１との間に回転可能に支持される。また、内側板１２の前端部には、内側に湾曲するように切り欠いた切欠部１２４を形成しており、この切欠部１２４に操作部材３の前端部を回転可能に引っ掛けられるようにしている。
【００２３】
なお、第１外側板１１と内側板１２とは、嵌め合わせ構造となっている。そのために、第１外側板１１の内側面側には、合計５つの前記内側板１２と嵌め合わせるための小突起１１３ａ、１１３ｂ、１１３ｃを内側へ突出させて形成している。具体的には、前端部側に１つの小突起１１３ａ、前後方向中央部に上下２つの小突起１１３ｂ、後端部側に２つの小突起１１３ｃを形成している。なお、前端部側の小突起１１３ａのみ薄板状をなしており、他の小突起１１３ｂ、１１３ｃは何れも小さい柱状をなしている。これに対して内側板１２の内側面には、前記小突起１１３ａ、１１３ｂ、１１３ｃをそれぞれ挿入させる合計５つの筒状部１２５ａ、１２５ｂ、１２５ｃを、第１外側板１１側へ突出させて形成している。なお、前端部側の筒状部１２５ａは扁平な形状を有しており、その他の筒状部１２５ｂ、１２５ｃは概略円筒状をなしている。また特に、中央部における上下２つの筒状部１２５ｂは、修正テープＴのガイド機能を有している。すなわち修正テープＴは、巻出用スプールＳＰ１から下側の筒状部１２５ｂを経て転写ヘッドＫの先端部Ｋａを通過し、さらに剥離テープＴｂは上側の筒状部１２５ｂを経て巻取用スプールＳＰ２に巻き取られるようになっている。
【００２４】
次に、第２ホルダ要素２は、図１〜図３、図５及び図６に示すように、前記第１外側板１１と対をなして転写具Ａの外側壁を構成する第２外側板２１と、この第２外側板２１の上縁及び下縁に連続して第１外側板１１の上縁及び下縁との間を閉塞する上下一対の周壁２２、２３を主体とするものである。
【００２５】
第２外側板２１は、第１外側板１１と同様に、例えば合成樹脂製の薄板状をなすものであり、本実施形態では側面視概略卵形をなすものとしている。この第２外側板２１の前端部には、前記内側板１２の前端部における切欠部１２４に引っ掛けられるように、内側板１２側へ突出させた鉤状突起２１１を形成している。そして、これら切欠部１２４と鉤状突起２１１とによって、第２ホルダ要素２を第１ホルダ要素１に回転可能に取り付ける回転取付部Ｒを構成している。さらに、第２外側板２１の内側面には、前記巻出用スプールＳＰ１及び巻取用スプールＳＰ２を回転駆動するための大径な巻出用ギアＧ１及びそれと噛合しより小径な巻取用ギアＧ２の取付部２１２、２１３を設けている。巻出用ギアＧ１用の取付部２１２は、第２外側板の後端部側に形成した貫通孔２１２ａと、この貫通孔２１２ａに挿入される緩み調整ピン２１２ｂと、この緩み調整ピン２１２ｂに脱落不能に取り付けられる駆動軸２１２ｃとから構成される。そして、第２ホルダ要素２を第１ホルダ要素１に嵌め合わせた際に、駆動軸２１２ｃの外周が巻出用スプールＳＰ１の内周と噛み合うようにしている。一方、巻取用スプールＳＰ２用の取付部２１３は、第２ホルダ要素２を第１ホルダ要素１に嵌め合わせた際に巻取用スプールＳＰ２内に挿入される取付軸２１３ａからなり、この取付軸２１３ａに巻取用ギアＧ２を外嵌させている。この巻取用ギアＧ２には、第１ホルダ要素１側へと主鬱する駆動軸Ｇ２ａが形成してあり、この駆動軸Ｇ２ａの外周を巻取用ギアＧ２の内周に噛み合わせている。そして、転写具Ａを紙面等に接触させて所定方向にスライドさせると、転写ヘッドＫの先端部Ｋａと紙面等との間に挟まれた修正テープＴが摩擦力で巻出用ギアＧ１と共に回転する巻出用スプールＳＰ１から送り出され、テープ本体Ｔａが紙面に貼付されると同時に、巻出用ギアＧ１に伴って逆回転する巻取用ギアＧ２と共に巻取用スプールＳＰ２が回転することによって、剥離テープＴｂが巻取用スプールＳＰ２に巻き取られることになる。なお、第２外側板２１の外側面側に表出する緩み調整ピン２１２ｂのピン頭部には図示しない調整溝が形成してあり、この調整溝に指爪、コイン、ドライバの先端等を差し込んで緩み調整ピン２１２ｂを回転させると、それに伴って巻出用スプールＳＰ１及び巻取用スプールＳＰ２が回転して転写具Ａ内での修正テープＴの緩みを調整できるようにしている。
【００２６】
また、第２外側板２１には、操作部材３を前後方向にスライド移動可能に取り付けるようにしている。そのために、第２外側板２１の中央部には、前後に延びるスリット２１４を、上下に対をなして形成している。このスリット２１４に沿ってスライド移動する操作部材３は、第２外側板２１の外側面に沿って配置される側板３１と、この側板３１の後端部に連続して第１ホルダ要素１側へ屈曲する操作板３２とから構成される、例えば合成樹脂製の平面視Ｌ字形をなす部材である。なお、側板３１の外側面は、第２外側板２１の外側面と略面一となるように配置されており、そのために、第２外側板２１の外側面には、前記スリット２１４の周囲を前記側板３１の形状に対応するように窪ませた凹部２１５を形成している。さらに、側板３１の中央部には、前記緩み調整ピン２１２ｂのピン頭部を表出させる長孔３１ｓが形成してある。また、操作板３２は、第２ホルダ要素２の上下の周壁２２、２３の後端部間を埋め合わせる形状をなしている。そして、この操作板３２の第１ホルダ要素１側の端部には、第１外側板１１に形成した係合爪１１４と係脱可能に軽く係り合う被係合爪３２１を形成しており、これら係合爪１１４と被係合爪３２１とによって第１ストッパ部ＳＴ１を構成している。また、操作板３２の第１ホルダ要素１側及び第２ホルダ要素２側の端部には、第１外側板１１及び第２外側板２１の外側面よりも突出する操作部３２２、３２２を対をなすように形成している。
【００２７】
ここで操作部材３は、前述の通り第１ホルダ要素１と第２ホルダ要素２とを分離させる際に使用者が操作するためのものであり、操作部材３と第１ホルダ要素１及び第２ホルダ要素２とに関連づけて分離機構Ｘを形成している。すなわち、分離機構Ｘの主要部は、第２ホルダ要素２の上下のスリット２１４内に挿入されるように側板３１の内側面側に形成した上下一対の突部３１１と、同じくスリット２１４内に挿入されるように前記内側板１２において第２ホルダ要素２側に向けて形成した上下一対の分離ガイド部２１６とから構成されている。この分離ガイド部２１６は薄板状をなすものであり、前端部側を向いて傾斜するテーパ面２１６ａを形成している。本実施形態においてこのテーパ面２１６ａは、部分円弧状をなして緩やかに湾曲するものとしている。そして、このような分離ガイド部２１６を、突部３１１のスライド移動線上であるスリット２１４の長手方向通凹部に挿入して待機させている。一方、前記突部３１１も薄板状の鉤形をなしており、後端部側を向いて傾斜するテーパ面３１１ａを形成している。この傾斜面３１１ａは、分離ガイド部２１６のテーパ面２１６ａに対応して部分円弧状をなして湾曲させている。また、転写具Ａの使用時には操作部材３を所定位置に留めておくために、その状態での突部３１１に対応する内側板１２の外側面上の位置に、当該突部３１１の先端部を収容しておく収容部１２７を形成している。本実施形態においてこの収容部１２７は、鉤形をなす突部３１１の先端部を受け入れるように正面視コ字形に形成してある。
【００２８】
一方、第１ホルダ要素１と第２ホルダ要素２とを分離させた状態で、操作部材３をスライド終端位置に保持しておくために、第２外側板２１と操作部材３とに関連づけて第２ストッパ部ＳＴ２を形成している。第２ストッパ部ＳＴ２は、図５に示すように、操作部材３の突部３１１よりも後方位置において上下のスリット２１４内に挿入されるように形成した上下一対の小突部３１２と、第２外側板２１のスリット２１４に沿って形成した弾性受部２１８とから構成される。小突部３１２の内向面には、ごく小さい突起３１２ａを形成している。弾性受部２１８は、スリット２１４の内側に沿って弾性変形可能に形成した弾性片２１８ａと、この弾性片２１８ａの後端部側に形成したストッパ片２１８ｂと、これら弾性片２１８ａとストッパ片２１８ｂとの間で起立する起立片２１８ｃとから構成される。特に弾性片２１８ａの後端部とストッパ片２１８ｂの前端部には、それぞれごく小さい突起２１８ａ１、２１８ｂ１をスリット２１４内に向けて突出させている。そして、操作部材３をスライド終端位置まで移動させた際には、スリット２１４内の小突部３１２の突起３１２ａが弾性片２１８ａの突起２１８ａ１に衝突してスリット２１４を拡開するように弾性片２１８ａを撓ませ、且つその突起２１８ａを乗り越えた位置で、小突部３１２が弾性片２１８ａの後端部、ストッパ片２１８ｂの前端部、及び起立片２１８ｃの先端部の間に保持されるようにしている。
【００２９】
次に、本実施形態におけるホルダ１の分解手順について、図７を用いて説明する。すなわち、転写テープＴが使用済となって新品と交換する際には、同図（ａ）の状態から使用者が操作部材３の一方又は両方の操作部３２２に指を引っかけて操作部材３を後端部側へ向けてスライド移動させると、第１ストッパ部ＳＴ１において係合爪１１４と被係合爪３２１との係合が解除されるのと同時に、突部３１１がスリット２１４内で分離ガイド部２１６と干渉し始める。すると、同図（ｂ）に示すように、突部３１１のテーパ面１２６ａが分離ガイド部２１６のテーパ面２１６ａに当接して、操作部材３が第１ホルダ要素１の内側板２１に乗り上げる格好となる。それに伴って、第２ホルダ要素２は操作部材３と共に、前端部における回転取付部Ｒを中心に回転動作して、その回転動作に伴って次第に第１ホルダ要素１から徐々に分離する。すなわち、第２ホルダ要素２の前端部においては鉤状突起２１１が切欠部１２４に引っ掛かったままの状態であるが、後端部において第１ホルダ要素１から大きく離間することになる。また操作部材３は、第２ストッパ部ＳＴ２の作用によってスライド終端位置に保持された状態となる。従って使用者は、この状態で単に切欠部１２４に引っ掛かった状態にある鉤状突起２１１を外しさえすれば、第１ホルダ要素１と第２ホルダ要素２とを分離できることになる。しかも、第１ホルダ要素１は修正テープＴ及び転写ヘッドＫと共に交換カートリッジとなっているため、新たな交換カートリッジと取り替えて上述した手順の逆の操作を行うと、この転写具Ａを再び使用可能な状態とすることができる。
【００３０】
このように、本実施形態の転写具Ａは、操作部材３と第１ホルダ要素１とを部分的に干渉させるという分離機構Ｘを有していることで、ホルダＨの分解すなわち第１ホルダ要素１と第２ホルダ要素２との分離を行うことができるようにしているので、極めて簡単な操作でホルダＨを分離し、再度組み立てて、修正テープＴの交換を行うことができる非常に便利なものである。特に操作部材３は、第２ホルダ要素２と相対的にスライド動作するものであるため、操作性に優れている。そのうえ、分離機構Ｘは、第１ホルダ要素１に形成した分離ガイド部２１６のテーパ面２１６ａに操作部材３に形成した突部３１１のテーパ面３１１ａをスライド動作の過程で当接させる構成を有しているので、簡易な構造でホルダＨの分解を実現することが可能である。さらに、転写ヘッドＫが設けられたホルダＨの先端部側において、第２ホルダ要素２は回転取付部Ｒを支点として第１ホルダ要素１に回転可能に取り付けられているため、第２ホルダ要素２が第１ホルダ要素１から離間する際に特に後端部側の離間距離が大きく変化するため、第２ホルダ要素２の第１ホルダ要素１からの取り外しが極めて容易である。このことは、修正テープＴの交換後において第２ホルダ要素２を第１ホルダ要素１に組み付ける作業も極めて簡便であることを意味している。
【００３１】
また、転写具Ａの使用時、すなわち操作部材３のスライド始端位置では、操作部材３と第１ホルダ要素１とはそれらの後端部側において第１ストッパ部ＳＴ１で緩く係り合っているが、その係合解除方向をホルダＨの分解時における操作部材３の操作方向と一致させているので、使用者は片手で一動作のみの作業で第１ホルダ要素１と第２ホルダ要素２との分離を行うことができる。さらにその後、操作部材３は第２ストッパ部ＳＴ２によって第２ホルダ要素２に対してスライド終端位置で保持されるため、再組立作業も極めて容易なものとなる。そのうえ上述のように、第１ホルダ要素１は修正テープＴ及び転写ヘッドＫと共に交換カートリッジとして機能しているため、使用者にとっては、交換すべき部材が分かりやすく、またその交換作業も非常に簡単に行うことができる。
【００３２】
なお、本発明は上述した実施形態に限られるものではない。例えば、前記実施形態に係る転写具Ａの変形例として図８及び図９に示す転写具Ｂは、特に操作部材３’の構成を転写具Ａにおける操作部材３とは異ならせたものである。なお、転写具Ｂにおいて転写具Ａと共通する部材及び部位には同一の符号を附して説明する。すなわち、この転写具Ｂでは、操作部材３’を、操作部材３と同様の側板３１と、第１ホルダ要素１と第２ホルダ要素２’の後端部側の略全域を覆うように設けられる操作板３２’とを主体としてなるものである。操作板３２’は、第２ホルダ要素２’の周壁２２’、２３’の後端部側の湾曲形状に沿って側面視概略部分円弧状に湾曲させたものであり、外側面における両端部に一対の操作部３２２’を形成している。ここで、これら操作部３２２’は、使用者の指掛かりを良好なものとするために外方へ突出した形状としているが、外側面を部分的に窪ませて操作部を形成しても構わない。また、操作板３２’の第１ホルダ要素１側の内側面の中央部には、第１ホルダ要素１に形成した係合爪１１４と係脱可能に軽く係り合い第１ストッパ部ＳＴ１を構成する被係合凹部３２１’を形成している。さらに、操作板３２’の両端部には、それぞれ前方に向けて突出させた鉤状の係止片３２３’、３２３’を形成している。このような構成の操作部材３’に対して第２ホルダ要素２’は、上下の周壁２２’、２３’が、前記転写具Ａにおける第２ホルダ要素２の周壁２２、２３の後端部側を操作板３２’の形状に対応して切り欠いた形状である点、及び、周壁２２’、２３’の内向面に前記係止片３２３’、３２３’の鉤状をなす先端部と係り合わせる係止凹部２２１’、２３１’を形成した点において、転写具Ａの第２ホルダ要素２とは異なっている。そして、一対の係止片３２３’、３２３’とそれらに対応する係止凹部２２１’、２３１’とによって、スライド始端位置において操作部材３’を第２ホルダ要素２’に係り合わせる一対の係止部Ｙ、Ｙを構成している。すなわち、操作部材３’を第２ホルダ要素２’に装着し、第１ホルダ要素１を第２ホルダ要素２に組み込んだ状態では、スライド始端位置において操作部材３’は、第１ストッパ部ＳＴ１において第１ホルダ要素１と係り合い、係止部Ｙにおいて第２ホルダ要素２’と係り合った状態（図９（ａ）参照）にある。
【００３３】
したがって、この状態から使用者が、片手の２本の指で第２ホルダ要素２’の周壁２２’、２３’を保持し、一対の操作部３２２’、３２２’に他方の手の２本の指を掛けて使用者が操作部材３’を第２ホルダ要素２’に対して後方へスライド移動させると、係止部Ｙ、Ｙ及び第１ストッパ部ＳＴ１における係り合い状態が解除され、転写具Ａの場合と同様に分離機構Ｘの作用によって第１ホルダ要素１が回転取付部Ｒを支点とする相対的な回転動作を伴って第２ホルダ要素２’から徐々に分離する（図９（ｂ）参照）ので、第１ホルダ要素１ごと修正テープＴの交換を行うことが可能となる。このように、操作部材３’を第２ホルダ要素２’にもスライド始端位置において係止部Ｙ、Ｙによって係り合わせることで、交換すべき部材である第１ホルダ要素１を含む交換カートリッジを非常に安定的に第２ホルダ要素２’から分離することが可能となる。その他、この転写具Ｂにより得られる効果は転写具Ａの場合と同様である。
【００３４】
以上の他、本発明においては例えば第１ホルダ要素と第２ホルダ要素とは単にホルダとしての機能を有するものとして、これらを分解することで内部の修正テープを交換することができるようなものであってもよい。さらに、前記転写具Ａのような態様においては、操作部を１箇所にのみ設けても操作性が損なわれるものではない。また、本発明は、転写物として修正テープのみならず、その他の粘着テープや粘着性を有しないテープ等のテープ類、固体又は液体のり、接着剤等の転写対象物に転写される転写物一般に対して適用可能なものである。その他、各部の具体的構成についても上記実施形態に限られるものではなく、本発明の趣旨を逸脱しない範囲で種々変形が可能である。
【００３５】
【発明の効果】
以上に詳述したように、本発明の転写具によれば、操作部材を操作するだけで、ホルダが自動的に２パーツに分解されるので、従来品のように２パーツ間の境界が使用者にとって分かりづらい場合でも極めて簡便に転写物の交換を行うことができる。またこのことにより、従来品のようにホルダを両手で持って力を加えなければ分解して転写物の交換ができなかったという不具合が解消されるため、非常に便利な転写具を提供することが可能である。さらに、操作部材は第２ホルダ要素とは別体であるので、操作部材の存在が使用者にとって分かりやすく使いやすいものとなり、例えば操作部材の色を第１ホルダ要素や第２ホルダ要素の色とは異ならせることで、操作部材の存在を強調するとともに、カラーバリエーションのラインナップが豊富な転写具とすることも可能である。
【図面の簡単な説明】
【図１】本発明の一実施形態に係る転写具を示す斜視図。
【図２】同右側面図。
【図３】同分解斜視図。
【図４】同転写具における第１ホルダ要素を示す分解斜視図。
【図５】同転写具における第２ホルダ要素及び操作部材を示す内側面図。
【図６】同転写具を図２においてＶＩ−ＶＩ線で破断して示す断面図。
【図７】同実施形態の作用説明図。
【図８】同実施形態の変形例に係る転写具を示す分解斜視図。
【図９】同変形例の転写具における作用説明図。
【符号の説明】
１…第１ホルダ要素
２、２’…第２ホルダ要素
３、３’…操作部材
２１６…分離ガイド部
２１６ａ…テーパ面
３１１…突部
３１１ａ…テーパ面
３２２、３２２’…操作部
Ａ…転写具
Ｈ…ホルダ
Ｋ…転写ヘッド
Ｒ…回転取付部
ＳＴ１…第１ストッパ部
ＳＴ２…第２ストッパ部
Ｔ…転写物（修正テープ）
Ｘ…分離機構
Ｙ…係止部
【図１】
2005034994.tif 000003
【図２】
2005034994.tif 000004
【図３】
2005034994.tif 000005
【図４】
2005034994.tif 000006
【図５】
2005034994.tif 000007
【図６】
2005034994.tif 000008
【図７】
2005034994.tif 000009
【図８】
2005034994.tif 000010
【図９】
2005034994.tif 000011